(57)【特許請求の範囲】
【請求項１】
内視鏡の処置具案内管に挿脱される外装シース内に緩く通された導電性の操作ワイヤーを手元側から軸方向に進退操作するために前記外装シースの基端側に連結された内視鏡用高周波処置具の操作部であって、
前記外装シースの基端が先端部分に連結され、軸方向にスリットが形成された円柱状部分を有し、軸方向に前記操作ワイヤーが挿通される操作部本体と、
前記操作ワイヤーを進退操作するために前記操作ワイヤーの基端に連結されると共に、前記操作部本体の前記円柱状部分に前記操作ワイヤーの軸方向にスライド自在に取り付けられたスライダーとを備え、
前記スライダーには、前記操作ワイヤーに高周波電流を通じさせる高周波電源コードを接続するための電源コード接続端子が前記操作部本体の前記円柱状部分を軸周りに回転自在且つ側方に向けて取り付けられると共に、前記操作ワイヤーと電気的に導通し前記操作部本体の前記円柱状部分の外径よりわずかに突出するように前記スリット内に配置される導電座が固定され、
前記スライダーに対する前記電源コード接続端子の回転位置にかかわらず前記電源コード接続端子と前記導電座とを電気的に導通させるための環状の導電性ばね部材が、前記電源コード接続端子と前記導電座との間の領域において、前記導電座の前記突出部分及び前記操作部本体の前記円柱状部分を囲んで常時弾性変形した状態且つ前記導電座に対する軸方向の移動が規制されるように配置されていることを特徴とする内視鏡用高周波処置具の操作部。
【請求項２】
請求項１に記載された内視鏡用高周波処置具の操作部において、前記導電性ばね部材がＣリング状の断面形状に形成されて、前記電源コード接続端子に対し直結され、前記導電座の外周面で押し広げられて弾性変形している内視鏡用高周波処置具の操作部。
【請求項３】
請求項１に記載された内視鏡用高周波処置具の操作部において、前記導電性ばね部材がコイルばね状に形成されていて、前記電源コード接続端子に対し固定的に連結され、前記導電座の外周面で押し広げられて弾性変形している内視鏡用高周波処置具の操作部。
【請求項４】
請求項１に記載された内視鏡用高周波処置具の操作部において、前記導電性ばね部材が波形面を有する円柱形状に形成されていて、前記電源コード接続端子が連結された環状の端子座と前記導電座の外周面との間で弾力的に潰された状態に配置されている内視鏡用高周波処置具の操作部。
【発明の詳細な説明】
【技術分野】
【０００１】  本発明は、内視鏡用高周波処置具の操作部に関する。
【背景技術】
【０００２】  内視鏡用高周波処置具の操作部には一般に、操作ワイヤーを進退操作するためのスライダーと、操作ワイヤーに高周波電流を通じさせる高周波電源コードを接続するための電源コード接続端子とが設けられている。
そのような電源コード接続端子は多くの場合スライダーに側方に向けて設けられているが、処置具の先端の向きを変える等のために操作部を回転させると、高周波電源コードが操作部の周囲に絡みついてスライダーのスライド操作に支障をきたす場合がある。【０００３】  そこで、特許文献１に記載された発明等においては、電源コード接続端子を後方に向けてスライダーに配置している。そのようにすると、高周波電源コードがスライダーから後方に向かって真っ直ぐに延び出す状態になるので、操作部を回転させても高周波電源コードが操作部に絡みつかない。
【特許文献１】  特開２００４−１８８０１３号公報
【発明の開示】
【発明が解決しようとする課題】
【０００４】  確かに、特許文献１に記載された発明のように構成することにより、高周波電源コードが操作部に絡みつく現象を防止することができる。しかし、操作部を回転させると高周波電源コードそのものが捩じれて蛇行したり折れ曲がったりする現象が発生し、高周波電源コードが団子状態になったり捩じれが戻ろうとする回転力により操作性が低下してしまう場合がある。また、高周波電源コードが操作者の手元から胸の方に延び出してくるので、煩わしくて操作性を低下させてしまう場合がある。【０００５】  本発明はそのような問題を解決するためになされたものであり、操作部を回転させた時に、高周波電源コードが操作部に絡みつかず、しかも高周波電源コード自体の捩れ等も発生せず、その結果、優れた操作性を得ることができる内視鏡用高周波処置具の操作部を提供することを目的とする。
【課題を解決するための手段】
【０００６】
内視鏡の処置具案内管に挿脱される外装シース内に緩く通された導電性の操作ワイヤーを手元側から軸方向に進退操作するために外装シースの基端側に連結された内視鏡用高周波処置具の操作部であって、外装シースの基端が先端部分に連結され、軸方向にスリットが形成された円柱状部分を有し、軸方向に操作ワイヤーが挿通される操作部本体と、操作ワイヤーを進退操作するために操作ワイヤーの基端に連結されると共に、操作部本体の円柱状部分に操作ワイヤーの軸方向にスライド自在に取り付けられたスライダーとを備え、スライダーには、操作ワイヤーに高周波電流を通じさせる高周波電源コードを接続するための電源コード接続端子が操作部本体の円柱状部分を軸周りに回転自在且つ側方に向けて取り付けられると共に、操作ワイヤーと電気的に導通し操作部本体の円柱状部分の外径よりわずかに突出するようにスリット内に配置される導電座が固定され、スライダーに対する電源コード接続端子の回転位置にかかわらず電源コード接続端子と導電座とを電気的に導通させるための環状の導電性ばね部材が、電源コード接続端子と導電座との間の領域において、導電座の突出部分及び操作部本体の円柱状部分を囲んで常時弾性変形した状態且つ導電座に対する軸方向の移動が規制されるように配置されている。
【０００７】  なお、導電性ばね部材がＣリング状の断面形状に形成されて、電源コード接続端子に対し直結され、導電座の外周面で押し広げられて弾性変形していてもよい。また、導電性ばね部材がコイルばね状に形成されていて、電源コード接続端子に対し固定的に連結され、導電座の外周面で押し広げられて弾性変形していてもよく、導電性ばね部材が波形面を有する円筒形状に形成されていて、電源コード接続端子が連結された環状の端子座と導電座の外周面との間で弾力的に潰された状態に配置されていてもよい。
【発明の効果】
【０００８】
本発明の内視鏡用高周波処置具の操作部によれば、操作ワイヤーと電気的に導通する導電座がスライダーに固定的に配置されると共に、電源コード接続端子が操作部本体の円柱状部分を軸周りに回転自在にスライダーに取り付けられ、スライダーに対する電源コード接続端子の回転位置にかかわらず電源コード接続端子と導電座とを電気的に導通させるための環状の導電性ばね部材が、電源コード接続端子と導電座との間の領域において、導電座の突出部分及び操作部本体の円柱状部分を囲んで常時弾性変形した状態且つ導電座に対する軸方向の移動が規制されるように配置されていることにより、操作部を回転させた時に電源コード接続端子と操作ワイヤーとの間の電気的導通が常に確保されて、しかも高周波電源コードが操作部に絡みつかず、且つ高周波電源コード自体の捩れ等も発生せず、その結果、優れた操作性を得ることができる。
【発明を実施するための最良の形態】
【０００９】  以下、図面を参照して本発明の実施の形態を具体的に説明する。
図２は内視鏡用高周波処置具の操作部の全体構成を示している。電気絶縁性の硬質プラスチック材により細長い円柱状に形成された操作部本体１の先端には、図示されていない内視鏡の処置具案内管に挿脱される外装シース２の基端が連結されている。外装シース２は、例えば可撓性のあるフッ素樹脂チューブ等で形成されている。外装シース２内には、導電性の操作ワイヤー３が緩く通されて、外装シース２の先端に配置された高周波電極（図示せず）に連結されている。高周波電極は、例えば、ナイフ状、ループ状、鉗子状その他どのようなものであってもよく、操作ワイヤー３が手元側から長手方向に進退操作されることにより、高周波電極が外装シース２の先端から出入りしたり開閉したりする。【００１０】  操作部本体１の後端には、第１指を係合させるための第１の指掛けリング４が操作部木体１と一体的に形成されている。また、操作部本体１の長手方向（即ち、操作ワイヤー３の基端部分の軸方向）にスライド自在なスライダー５が操作部本体１に取り付けられていて、第２指と第３指を係合させるための第２と第３の指掛けリング６Ａ，６Ｂがスライダー５に一体に形成されている。【００１１】  ７は、操作部本体１に形成されたスリットであり、外装シース２の基端から引き出された操作ワイヤー３の基端部分がそのスリット７内を通ってスライダー５の内側部分に達し、ワイヤー止めねじ８でスライダー５に固定されている。したがって、スライダー５を操作部本体１に沿って操作ワイヤー３の軸方向にスライド操作することにより、操作ワイヤー３が外装シース２内で軸方向に進退する。なお、スリット７内に位置する操作ワイヤー３の基端部分には補強用の金属パイプが被覆されている。９は、操作ワイヤー３に高周波電流を通じさせる高周波電源コード１０を接続するためにスライダー５に側方に向けて配置された電源コード接続端子であり、この電源コード接続端子９から操作ワイヤー３を経由して先端の高周波電極に高周波電流を供給することができる。【００１２】  図１は、操作部本体１にスライダー５が係合している部分の側面断面図であり、図３、図４、図５は各々、図１におけるＡ−Ａ線、Ｂ−Ｂ線、Ｃ−Ｃ線で切断された断面の断面図である。
図３に示されるように、スリット７は操作部本体１を径方向に分断する状態に形成されていて、スライダー５は操作部本体１の外側を全周にわたって緩く囲んでいる。そして、図１及び図４に示されるように、スリット７内にきつくならない程度にほぼピッタリ嵌まる形状の導電金属製の厚板状の導電座１１が、固定ねじ１２でスライダー５に固定されている。したがって、スライダー５は操作部本体１の軸周りに回転することはできず、軸方向にスライドだけすることができる。１３は座金である。操作ワイヤー３の基端位置と合致する導電座１１の中心軸位置には、操作ワイヤー３の基端部分が通されるワイヤー通し孔１５が真っ直ぐに貫通して前後方向に形成されていて、そのワイヤー通し孔１５に通された操作ワイヤー３の基端部分がワイヤー止めねじ８の先端で導電座１１に押圧固定されて、操作ワイヤー３と導電座１１とが電気的に導通している。【００１３】
図６は、導電座１１と電源コード接続端子９等を部分的に分解して示しており、棒状に形成された電源コード接続端子９の根部はばね性を有する導電性金属からなる環状の端子座１７の外周面に溶接等で直接連結固着されて、電源コード接続端子９が端子座１７から外方に垂直に突出した状態になっている。端子座１７は、導電座１１の外面にきつく嵌合する内径寸法に形成されている。また、端子座１７はスリット１８により全長にわたり分断されて、軸方向に対し垂直な断面においてはＣリング状の断面形状に形成されている。したがって、この実施の形態では端子座１７が「環状の導電性ばね部材」になっている。そのように形成された端子座１７は、導電座１１の中間部分を囲む状態にセットされるが、導電座１１の前端部に外方に突出して形成されたストッパ用突起１９の外縁の方が端子座１７の内径より外側に出っ張っている。したがって、端子座１７はストッパ用突起１９部分を通過することができないので、導電座１１を囲む状態に端子座１７を取り付ける際には、端子座１７を少し広げた状態に弾性変形させてやる。
【００１４】  その結果、図１及び図５に示されるように端子座１７が導電座１１に取り付けられた状態では、端子座１７が、ストッパ用突起１９により軸方向の移動が規制されて、導電座１１から外れることなく軸周り方向には自由に回転することができる。また、図５に示されるように、端子座１７の内側位置では導電座１１の外表面が操作部本体１の外表面より少し外方に出っ張っていて、端子座１７が導電座１１により僅かに押し広げられる状態に常時弾性変形してる。したがって、端子座１７の回転位置に関係なく端子座１７と導電座１１とが常に接触しているので、電源コード接続端子９と導電座１１とが端子座１７を介して常に電気的に導通している。２０は、端子座１７の周囲を囲み且つ電源コード接続端子９の周囲を囲む状態に電気絶縁性のプラスチック材により形成された端子枠である。端子枠２０には、組み立て時に電源コード接続端子９を通すための割り目２１が形成され、電源コード接続端子９が割り目２１と係合していることにより、端子枠２０は電源コード接続端子９（及び端子座１７）と共に一体的に操作部本体１の周囲を回転する。【００１５】  このように構成された実施の形態の内視鏡用高周波処置具の操作部は、図７に示されるように、スライダー５を操作部本体１の軸方向にスライド操作することにより、操作ワイヤー３を外装シース２内で進退させて図示されていない高周波電極を外装シース２の先端で動作させることができる。また、図８に示されるように、操作部を操作部本体１の軸周り方向（即ち、スライダー５のスライド方向の周り方向）に回転させると、端子枠２０と電源コード接続端子９以外の部分が全て一体に回転し、それに追従して外装シース２と操作ワイヤー３が回転して高周波電極の向きを任意に変えることができる。高周波電源コード１０がつながっている端子枠２０と電源コード接続端子９の部分は、操作部本体１に対して回転自在なので元のままの向きを維持する。そして、その際に、電源コード接続端子９と操作ワイヤー３との間の電気的導通が導電性ばね部材（端子座１７）により常に確保されると共に、電源コード接続端子９に接続された高周波電源コード１０が操作部に絡みつかず、高周波電源コード１０自体の捩れ等も全く発生しない。【００１６】  図９は、本発明の第２の実施の形態の内視鏡用高周波処置具の操作部を示しており、図１０にも抜き出して図示されているように、電源コード接続端子９の根部が連結固着された端子座１７は導電座１１に緩く被嵌される単純な円筒形状に形成され、一端が端子座１７に溶接等で連結固定された導電性のある材料からなるコイルばね２３が、常に導電座１１の外周面で押し広げられて弾性変形している。したがって、この実施の形態ではコイルばね２３が「環状の導電性ばね部材」になっていて、第１の実施の形態と同様の作用効果を得ることができる。【００１７】  図１１は、本発明の第３の実施の形態の内視鏡用高周波処置具の操作部を示しており、第１の実施の形態の図５に相当する断面図である。この実施の形態では、第２の実施の形態のコイルばね２３に代えて、波形面を有する円筒形状に形成された波状環２４を「環状の導電性ばね部材」として設け、その波状環２４が第２の実施���形態と同様の端子座１７の内周部と導電座１１の外周面との間に配置されている。この波状環２４は、環状の端子座１７の内周面と摺接し、導電座１１に対しては移動しない（導電座１１に対し波状環２４を固定しておいてもよい）。このように構成しても、第１の実施の形態と同様の作用効果を得ることができる。
【図面の簡単な説明】
【００１８】
【図１】本発明の第１の実施の形態の内視鏡用高周波処置具の操作部の部分側面断面図。
【図２】本発明の第１の実施の形態の内視鏡用高周波処置具の操作部の斜視図。
【図３】本発明の第１の実施の形態の内視鏡用高周波処置具の操作部の図１においてＡ−Ａ線で切断された断面の断面図。
【図４】本発明の第１の実施の形態の内視鏡用高周波処置具の操作部の図１においてＢ−Ｂ線で切断された断面の断面図。
【図５】本発明の第１の実施の形態の内視鏡用高周波処置具の操作部の図１においてＣ−Ｃ線で切断された断面の断面図。
【図６】本発明の第１の実施の形態の内視鏡用高周波処置具の操作部の部分分解斜視図。
【図７】本発明の第１の実施の形態の内視鏡用高周波処置具の操作部のスライド操作状態の斜視図。
【図８】本発明の第１の実施の形態の内視鏡用高周波処置具の操作部の回転操作状態の斜視図。
【図９】本発明の第２の実施の形態の内視鏡用高周波処置具の操作部の部分側面断面図。
【図１０】本発明の第２の実施の形態の内視鏡用高周波処置具の操作部の部分分解斜視図。
【図１１】本発明の第３の実施の形態の内視鏡用高周波処置具の操作部の断面図（第１の実施の形態の図５に相当する断面図）。
【符号の説明】
【００１９】  １…操作部本体
２…外装シース
３…操作ワイヤー
５…スライダー
９…電源コード接続端子
１０…高周波電源コード
１１…導電座
１７…端子座
１８…スリット
２０…端子枠
２３…コイルばね
２４…波状環
【図１】
0004753261.tif 000002
【図２】
0004753261.tif 000003
【図３】
0004753261.tif 000004
【図４】
0004753261.tif 000005
【図５】
0004753261.tif 000006
【図６】
0004753261.tif 000007
【図７】
0004753261.tif 000008
【図８】
0004753261.tif 000009
【図９】
0004753261.tif 000010
【図１０】
0004753261.tif 000011
【図１１】
0004753261.tif 000012